(57)【要約】【課題】ガスコック装置は、閉子の回転により重なり合う通路面積を無段階に増減できるので、親子バーナへのガスの供給量を、親バーナおよび子バーナの双方が燃焼している状態から親バーナを消火して子バーナのみが燃焼している状態に切り替える途中で、親バーナの炎孔からのガスの噴出速度が遅くなって燃焼状態が不安定になり、炎が親バーナ内に進入する逆火現象が生じるおそれがある。【解決手段】親バーナにガスを供給する側の分岐路に電磁式の開閉弁を設け、親バーナへのガスの供給量が、逆火が生じるおそれのある所定の供給量以下に低下する前の状態で開閉弁を閉弁し親バーナへのガスの供給を停止させる。【選択図】  図１
2014066373.tif 000002
【特許請求の範囲】
【請求項１】
親バーナと子バーナとが連接された親子バーナにガスを供給するガスコック装置であって、閉子の回転でガスの供給量を増減するコック部と、コック部の下流で供給されるガスを分岐して親バーナと子バーナとに各々ガスを供給する１対の分岐路とを備えたガスコック装置において、親バーナにガスを供給する側の分岐路に電磁式の開閉弁を設け、親バーナと子バーナの双方が共に燃焼する状態から、火力を絞る際に親バーナへのガスの供給量が所定の供給量以下に低下する前の状態で開閉弁を閉弁し親バーナへのガスの供給を停止させることを特徴とするガスコック装置。
【発明の詳細な説明】
【技術分野】
【０００１】
本発明は、内蔵する閉子を回転させて親子バーナの火力を調節するガスコック装置に関する。
【背景技術】
【０００２】
小火力から中火力までの間で火力調節する子バーナと、主に中火力から大火力までの間で火力調節する親バーナとを上下２段に重ねて１個の親子バーナとしたものが知られており、その親子バーナへのガスの供給量は１個のガスコック装置によって増減制御される（例えば、特許文献１参照）。
【０００３】
このような親子バーナでは、消火状態から火力調節つまみを回動させ、親バーナおよび子バーナが共に燃焼状態となる強火状態で点火が行われる。その点火位置から消火側に火力調節つまみを戻すと、親バーナおよび子バーナが共に点火したままの状態で火力調節が行われる。また、点火位置から更に火力調節つまみを回動させると親バーナが消火して子バーナのみが点火状態になる。子バーナが単独で点火している状態から点火位置まで火力調節つまみを戻せば再び親バーナへのガスの供給が再開され、親バーナに子バーナから火移りし、更に火力調節つまみを消火方向に回動すれば上述のように両バーナの火力が小さくなり、最終的に両バーナ共に消火する。
【先行技術文献】
【特許文献】
【０００４】
【特許文献１】特開平１０−８２５２５号公報（図１，図２）
【発明の概要】
【発明が解決しようとする課題】
【０００５】
上述のようなガスコック装置は、閉子の回転により重なり合う通路面積を無段階に増減できるので、親子バーナへのガスの供給量を、親バーナおよび子バーナの双方が燃焼している状態から親バーナを消火して子バーナのみが燃焼している状態に切り替える途中で、親バーナの炎孔からのガスの噴出速度が遅くなって燃焼状態が不安定になり、炎が親バーナ内に進入する逆火現象が生じるおそれがある。
【０００６】
そこで本発明は、上記の問題点に鑑み、親子バーナを構成する親バーナを消火して子バーナのみの燃焼に切り替える際に、親バーナで逆火を生じさせないガスコック装置を提供することを課題とする。
【課題を解決するための手段】
【０００７】
上記課題を解決するために本発明によるガスコック装置は、親バーナと子バーナとが連接された親子バーナにガスを供給するガスコック装置であって、閉子の回転でガスの供給量を増減するコック部と、コック部の下流で供給されるガスを分岐して親バーナと子バーナとに各々ガスを供給する１対の分岐路とを備えたガスコック装置において、親バーナにガスを供給する側の分岐路に電磁式の開閉弁を設け、親バーナと子バーナの双方が共に燃焼する状態から、火力を絞る際に親バーナへのガスの供給量が所定の供給量以下に低下する前の状態で開閉弁を閉弁し親バーナへのガスの供給を停止させることを特徴とする。
【０００８】
上記構成によれば、親バーナへのガスの供給量が、逆火が発生するおそれのある所定の供給量以下に低下する前に、親バーナへのガスの供給を停止させるので、逆火は発生しない。なお、その状態では子バーナのみが燃焼する状態にあるが、ガスの供給量を絞っている途中の状態であり、大きな火力を必要としないため、使用上の不都合は生じない。
【発明の効果】
【０００９】
以上の説明から明らかなように、本発明は、親バーナおよび子バーナの双方が燃焼している状態から親バーナの消火して子バーナのみが燃焼している状態に切り替える際に、親バーナで逆火が生じるおそれがある状態になる前に親バーナへのガスの供給を停止するので、親バーナでの逆火の発生を確実に防止することができる。
【図面の簡単な説明】
【００１０】
【図１】本発明によるガスコック装置の一実施の形態の断面図
【図２】II-II断面図
【図３】ガスの供給経路図
【図４】火力調節つまみの回動状態を示す図
【図５】消火位置から点火位置（全開位置）までの火力変化を示す図
【発明を実施するための形態】
【００１１】
図１および図２を参照して、１は本発明によるガスコック装置の一実施の形態である。本ガスコック１はガス流入口２から内部に流入したガスを２系統に分岐して後述する親子バーナに供給するものである。ガス流入口２から流入したガスは電磁安全弁３の弁体３１が閉弁状態であるとそれ以上下流に流れることが弁体３１によって遮断される。親子バーナに点火する際には火力調節つまみ（図示せず）が取り付けられたロッド１１を押し込むことによって、ロッド１１の先端で弁体３１を強制的に開弁させる。親子バーナへの着火が完了すると、電磁安全弁３に内蔵されている電磁石の磁力によって弁体３１は開弁状態に保持される。
【００１２】
弁体３１が開弁するとガスは閉子１２に到達する。閉子１２は中空の円錐形状をしており、かつ内外を貫通する穴が設けられている。ロッド１１を回動することにより、その貫通穴とハウジング側の通路１３，１６との重なる面積が変化して、通路１３，１６へ流れるガスの流量が増減される。
【００１３】
なお、本構成では通路１３は後述する親バーナおよび子バーナの双方にガスを供給する通路で有り、通路１６は子バーナのみにガスを供給する通路である。通路１３は空間１４に連通しており、この空間１４に流入したガスはそのまま子バーナに供給される。また、空間１４は通路１５に連通しており、ガスは通路１５を通って親バーナにも供給される。但し、この空間１４に隣接して電磁式の開閉弁７が設けられており、この開閉弁７の弁体７１は空間１４から通路１５への開口を開閉する。従って、弁体７１が閉弁状態であればガスは親バーナに供給されず、弁体７１が開弁状態になることによって親バーナにガスが供給される。
【００１４】
図２を合わせて参照して、空間１４および通路１６から子バーナへのガスは流出口５１から流出し、親バーナへは通路１５を通って流出口５２から流出する。また、ロッド１１の近傍にはスイッチ４と点火スイッチ４１とが配設されており、ロッド１１と共に回動するカム板(図示せず)によってロッド１１の所定の位相でそれぞれオン／オフされる。
【００１５】
図３を参照して、６は親子バーナで有り、親バーナ６２の上部に子バーナ６１が載置された構成を有している。そして、混合管６１ａは子バーナ６１に連通しており、混合管６２ａは親バーナ６２に連通している。
【００１６】
図４および図５を参照して、ロッド１１を押し込んだままの状態で左に回動すると、「中火」位置でスイッチがオンして開閉弁７が開弁し、更に回動して「全開」位置で上記点火スイッチ４１がオンして図外の点火器が作動し親バーナ６２、子バーナ６１の双方に点火される。その後、ロッド１１の押し込みを解除すると点火スイッチ４１はオフして点火器の作動が停止する。
【００１７】
図５において、Ｌは親バーナ６２の火力変化を示し、Ｓは子バーナ６１の火力変化を示す。「全開」の位相からロッド１１を右方向、すなわち「消火」方向へ戻すと、親バーナ６２の火力は減少していき、中火状態になる。その中火状態での「中火」位相まで回動し、更にロッド１１を右方向に回動すると、従来のガスコック装置ではＴで示す火力変化していたが、Ｂで示す失火ライン（所定の供給量）を下回ると親バーナ６２に失火が発生するおそれがあった。
【００１８】
そこで、本発明では中火状態の「中火」位相でスイッチ４をオフさせて開閉弁７を閉弁させ、親バーナ６２へのガスの供給を停止させて子バーナ６１のみの燃焼状態になるようにした。この状態から更にロッド１１を右方向に回動して「消火」の位相まで回動すると子バーナ６１へのガスの供給も停止して子バーナ６１が消火する。但し、子バーナ６１が消火する前にロッド１１を再び左方向に回動してスイッチ４をオンにすれば開閉弁７が開弁して親バーナ６２へのガスの供給が再開される。
【００１９】
なお、本発明は上記した形態に限定されるものではなく、本発明の要旨を逸脱しない範囲内において種々の変更を加えてもかまわない。
【符号の説明】
【００２０】
１  ガスコック
３  電磁安全弁
４  スイッチ
６  親子バーナ
７  開閉弁
１１  ロッド
１２  閉子
４１  点火スイッチ
６１  子バーナ
６２  親バーナ
７１  弁体
【図１】
2014066373.tif 000003
【図２】
2014066373.tif 000004
【図３】
2014066373.tif 000005
【図４】
2014066373.tif 000006
【図５】
2014066373.tif 000007